(57)【特許請求の範囲】
【請求項１】
７０〜９９．５重量％の式（Ｒ）４Ｐ＋Ｘ−の化合物（１）および３０〜０．５重量％の式（Ｒ）３Ｐ＝Ｏの化合物（２）（式（１）および式（２）中のすべてのＲは独立に、基
【化１】
0004659948.tif 000010
であり、Ｘ−は無機または有機陰イオンまたは多価の無機または有機陰イオンからなる等価物である）を含んでなることを特徴とする混合物。
【請求項２】
７５〜９９重量％の化合物（Ｒ）４Ｐ＋Ｘ−および２５〜１重量％の化合物（Ｒ）３Ｐ＝Ｏを含んでなる、請求項１に記載の混合物。
【請求項３】
８０〜９８重量％の化合物（Ｒ）４Ｐ＋Ｘ−および２０〜２重量％の化合物（Ｒ）３Ｐ＝Ｏを含んでなる、請求項１に記載の混合物。
【請求項４】
Ｘ−がＦ−、Ｃｌ−、Ｂｒ−、Ｉ−、ＣｌＯ４−、ＢＦ４−、ＰＦ６−、ＮＯ３−、ＨＳＯ４−、１／２ＳＯ４２−、Ｈ２ＰＯ４−、１／３ＰＯ４３−、Ｒ”−ＣＯＯ−（ここでＲ”は、１〜９個の炭素原子を有するアルキル基、フェニル基、ベンジル基またはナフチル基である）、Ｒ’’’−ＳＯ３−（ここでＲ’’’は炭素数１〜１８のアルキル基、フェニル基、トリル基またはナフチル基である）、ＨＣＯ３−、１／２ＣＯ３２−または１／２Ｃ６Ｈ４（ＣＯＯ−）２である、請求項１〜３のいずれか１項に記載の混合物。
【請求項５】
請求項１〜４のいずれか１項に記載の混合物の製造方法であって、五ハロゲン化リンをピロリジンまたはピペリジンと、モル比１：６〜１：５０で、不活性溶剤の存在下で、最初は−２０〜８０℃で反応させ、続いて９０〜１８０℃で反応を続行し、得られた反応生成物を、０〜８０℃で、水性アルカリでｐＨ７〜１５で処理し、水相を有機相から分離することを含んでなることを特徴とする方法。
【請求項６】
五ハロゲン化リンをピロリジンまたはピペリジンと、モル比１：８〜１：２５で反応させる、請求項５に記載の方法。
【請求項７】
不活性溶剤として、脂肪族、環状脂肪族または芳香族炭化水素、またはモノ−またはポリ塩素化された脂肪族、環状脂肪族または芳香族炭化水素を使用する、請求項５または６に記載の方法。
【請求項８】
五ハロゲン化リンをピロリジンまたはピペリジンと最初に２０〜７５℃で反応させる、請求項５〜７のいずれか１項に記載の方法。
【請求項９】
反応を１００〜１７０℃で続行する、請求項５〜８のいずれか１項に記載の方法。
【請求項１０】
五ハロゲン化リンとして五塩化リンを使用する、請求項５〜９のいずれか１項に記載の方法。
【請求項１１】
請求項１〜４のいずれか１項に記載の混合物を、相転移反応、求核置換またはハロゲン−フッ素交換反応用の触媒または共触媒として使用する使用方法。
【発明の詳細な説明】
【０００１】
本発明は、アミノホスホニウム塩を含んでなる混合物（物質混合物）、およびそれらの製造および使用に関するものである。
【０００２】
アミノホスホニウム化合物は、ＷＯ９８／３２５３２号およびＷＯ９８／２２４１３号各明細書から明らかな様に、ハロゲン／フッ素交換反応（ハレックス反応）によりフッ素含有化合物を製造するための触媒として使用される。ＷＯ９８／３２５３２号およびＷＯ９８／２２４１３号各明細書で使用されているテトラキス（ジエチルアミノ）ホスホニウムブロマイドは良好な結果を与えるが、この物質は皮膚に対する毒性が非常に高い。この＜５０ mg/kg体重という非常に高い皮膚に対する毒性が、工業的使用の妨げになっている。
【０００３】
本発明の目的は、高比率のテトラキスアミノホスホニウム塩を含んでなり、相転移(phase-transfer)反応に、特にハロゲン−フッ素交換反応に使用する触媒または触媒系の成分として適当であり、皮膚に対する毒性が低く、テトラキス（ジエチルアミノ）ホスホニウムブロマイドの使用で得られる結果と同等以上の結果を達成する新規な混合物を提供することである。さらに、これらの混合物を工業的な量でも、比較的簡単な様式で、妥当な経費で製造できる様にすることも意図している。
【０００４】
この目的は、驚くべきことに、７０〜９９．５重量％の式（Ｒ）４Ｐ＋Ｘ−の化合物（１）および３０〜０．５重量％の式（Ｒ）３Ｐ＝Ｏの化合物（２）を含んでなる混合物により達成され、式中、Ｒは、それぞれの場合に、基
【化２】
0004659948.tif 000002
であり、Ｘ−は無機または有機陰イオンまたは同等の複数に帯電した無機または有機陰イオンである。
【０００５】
これらの混合物は、高比率の、式（Ｒ）４Ｐ＋Ｘ−の化合物（１）、すなわち適切なテトラキス（ピロリジノ）ホスホニウム塩またはテトラキス（ピペリジノ）ホスホニウム塩を含んでなる。驚くべきことに、この混合物中に存在する化合物（Ｒ）３Ｐ＝Ｏは、触媒活性に悪影響を及ぼさないので、この混合物は触媒または触媒成分として直接使用することができる。
【０００６】
テトラキスホスホニウム陽イオンの分子構造／分子サイズおよび分子量に関して大きな差は無いが、テトラキス（ピロリジノ）ホスホニウムクロライドおよびテトラキス（ピペリジノ）ホスホニウムクロライドの両方に関する皮膚毒性は、予期せぬことに、テトラキス（ジエチルアミノ）ホスホニウムブロマイドの皮膚毒性よりも著しく低い。テトラキス（ピペリジノ）ホスホニウムクロライドの皮膚毒性は約２００ mg/kg体重であり、テトラキス（ピロリジノ）ホスホニウムクロライドの皮膚毒性は約３９０ mg/kg体重であり、従って、テトラキス（ジエチルアミノ）ホスホニウムブロマイドの皮膚毒性よりも著しく低い。テトラキス（ジエチルアミノ）ホスホニウムブロマイド、テトラキス（ピペリジノ）ホスホニウムクロライドおよびテトラキス（ピロリジノ）ホスホニウムクロライドの皮膚毒性に関するデータは、我々独自の測定から得たものである。
【０００７】
本発明は、特に、７５〜９９重量％、好ましくは８０〜９８重量％、特に好ましくは８５〜９５重量％、の化合物（Ｒ）４Ｐ＋Ｘ−（１）および２５〜１重量％、好ましくは２０〜２重量％、特に好ましくは１５〜５重量％、の化合物（Ｒ）３Ｐ＝Ｏ（２）を含んでなる混合物に関するものである。Ｒは、すでに上に記載した様に、化合物（１）および化合物（２）の両方で、ピロリジノまたはピペリジノ基、特にピロリジノ基、である。
【０００８】
式（１）の化合物におけるＸ−はＦ−、Ｃｌ−、Ｂｒ−、Ｉ−、ＣｌＯ４−、ＢＦ４−、ＰＦ６−、ＮＯ３−、ＨＳＯ４−、1/2 ＳＯ４２−、Ｈ２ＰＯ４−、1/2 ＨＰＯ４２−、1/3 ＰＯ４３−、Ｒ”-ＣＯＯ−（ここでＲ”は、炭素数１〜９のアルキル基、フェニル基、ベンジル基またはナフチル基である）、Ｒ'''-ＳＯ３−（ここでＲ'''は炭素数１〜１８のアルキル基、フェニル基、トリル基またはナフチル基である）、ＨＣＯ３−、1/2 ＣＯ３２−または1/2 Ｃ６Ｈ４(ＣＯＯ−）２である。  Ｘ−は特に、Ｆ−、Ｃｌ−、Ｂｒ−、Ｉ−、ＢＦ４−、ＰＦ６−または1/2 ＳＯ４２−、好ましくはＦ−、Ｃｌ−、またはＢｒ−であり、特に好ましくはＣｌ−、である。
【０００９】
本混合物は、通常、９５〜１００重量％、特に９６〜９９．５重量％、好ましくは９７〜９９重量％、の、化合物（Ｒ）４Ｐ＋Ｘ−および（Ｒ）３Ｐ＝Ｏを含んでなる混合物、および５〜０重量％、特に４〜０．５重量％、好ましくは３〜１重量％、の揮発性成分からなる物質混合物として得られる。なお存在することがある揮発性成分は、例えば未反応出発材料および溶剤の残留物である。しかし、揮発性成分をほとんど完全に、または完全に除去することもできる。
【００１０】
G.N. Koidan et al.は、J. Gen. Chem. USSR（英語翻訳）52, 1982, 1779〜1787頁で、テトラキス（ピペリジノ）ホスホニウムブロマイドの多段階製造を開示している。この文献では、式(Ｒ２Ｎ)３Ｐ＋HalHal−とアンモニアを先ず反応させ、反応生成物から、水を除去して、イミノリン酸のトリアミド（ホスホリミジックトリアミド）を調製している。
【化３】
0004659948.tif 000003
次いで、イミノリン酸のトリアミドを、下記の反応式に従う１，５−ジブロモペンタンによる閉環反応により、テトラキス（ピペリジノ）ホスホニウムブロマイドに転化させる。
【化４】
0004659948.tif 000004
【００１１】
この種の合成は非常に複雑であり、幾つかの反応工程を必要とし、テトラキス（ピペリジノ）ホスホニウムブロマイドの他に、式(Ｒ２Ｎ)３Ｐ＝ＮＨおよび(Ｒ２Ｎ)３Ｐ＝Ｎ-(ＣＨ２)５Ｂｒの強塩基性化合物をも含む反応副生成物を生じる。これらの化合物は、触媒選択性、特に特定のハレックス反応の選択性、を妨害する。
【００１２】
そのため、上記の欠点が無く、工業的にも簡潔な様式で実行でき、必要とする生成物を良好な収率で得ることができる、テトラキス（ピペリジノ）ホスホニウム塩の製造方法が求められている。
【００１３】
この目的は、化合物（Ｒ）４Ｐ＋Ｘ−および（Ｒ）３Ｐ＝Ｏを含んでなる上記の混合物の製造方法により達成される。この製法では、五ハロゲン化リンをピロリジンまたはピペリジンと、モル比１：６〜１：５０で、不活性溶剤の存在下で、最初は１０〜８０℃で反応させ、続いて反応を９０〜１８０℃で続行し、得られた反応生成物を、０〜８０℃で、水性アルカリでｐＨ７〜１５で処理し、水相を有機相から分離する。
【００１４】
通常は、ピロリジンまたはピペリジンを五ハロゲン化リンおよび溶剤の混合物に加えるが、逆の手順も可能である。反応は、最初は上記の温度範囲内で進行する。温度は通常、必要であれば冷却することにより、上記の温度範囲内に維持すべきである。反応物が十分に混合される様に注意しなければならない。該温度範囲が維持される様な速度でピロリジンまたはピペリジンを加える場合、この反応工程は特に簡潔である。
【００１５】
この反応工程に続いて、反応は、上記の様に、より高い温度で続行し、その温度で必要なテトラキス（ピロリジノ）−またはテトラキス（ピペリジノ）ホスホニウム塩が形成される。
【００１６】
テトラキス（ピロリジノ）−またはテトラキス（ピペリジノ）ホスホニウム塩の形成には、長い反応時間および高い反応温度が好ましく、反応時間が短く、反応温度が低いと、（Ｒ）３Ｐ＝Ｏ化合物の比率が高い混合物が形成される。
【００１７】
この反応が完了した後、すでに上に記載した様に、反応生成物を温度０〜８０℃で水性アルカリで処理する。使用するアルカリの量は、処理の際にｐＨが７〜１５に維持される様な量である。水性アルカリで処理することにより、反応生成物の加水分解可能な成分が加水分解される。式（Ｒ）３Ｐ＝Ｏ（２）の化合物はこの加水分解により生じると考えられ、様々な量で形成される。水性アルカリによる処理の別の効果は、反応の際に形成されるピロリジンまたはピペリジンのハイドロハライドが中和され、ピロリジンまたはピペリジンが放出されることである。放出されたピロリジンまたはピペリジンは回収し、反応に再使用することができる。
【００１８】
必要とする反応生成物、溶剤、および使用した、および／またはハイドロハライドから放出された、過剰のピロリジンまたはピペリジンを含む有機相から水相を分離する。次いで、例えば減圧蒸留により、有機相を濃縮し、乾燥させる。こうして形成される固体は本発明の混合物を含み、例えば触媒または触媒成分として直接使用することができる。
【００１９】
J. Gen. Chem. USSR（英語翻訳）52, 1982, 1779〜1787頁に記載されている先行技術から考えて、五ハロゲン化リンをピペリジンと反応させることにより、テトラキス（ピペリジノ）ホスホニウム塩が直接製造できることは驚くべきことであると言える。
【００２０】
本発明の製造で使用する過酷な反応条件、特に高温、を考えると、実質的に２種類の成分だけを含んでなり、テトラキス（ピロリジノ）−またはテトラキス（ピペリジノ）ホスホニウム塩の比率が高い混合物を製造でき、触媒または触媒成分として直接使用できることは、予期せぬことである。
【００２１】
高温で行なう反応から得られる反応生成物は、通常、数多くの異なった反応生成物からなり、不純物を有するので、手間のかかる精製を必要とせずに触媒として使用することはできない。触媒毒は、当業者には公知の様に、非常に少量でも作用する。本混合物は、触媒作用を妨害する（Ｒ）３Ｐ＝ＮＲ’（Ｒ’＝水素、アルキル、炭素数１〜６のアルケニルまたは-(ＣＨ２)ｘHalであり、ｘ＝２〜５、HalはＣｌまたはＢｒである）を含まない。この種の化合物は強塩基であることが知られている（例えば、R. Schwesinger et al., Chem. Ber. 1994, 127, 2435-2454、特に2440頁参照）。
【００２２】
多くの場合、五ハロゲン化リンはピロリジンまたはピペリジンと、モル比１：７〜１：２５、特に１：８〜１：１６、好ましくは１：８〜１：１４、で反応させる。五ハロゲン化リンはピロリジンまたはピペリジンと、前に記載した様に、最初は−２０〜８０℃、特に２０〜７５℃、好ましくは４０〜７０℃、で反応させる。  使用する不活性溶剤は、脂肪族、環状脂肪族または芳香族炭化水素、またはモノ−またはポリ塩素化された脂肪族、環状脂肪族または芳香族炭化水素である。  非常に適した不活性溶剤の例は、ヘキサン、シクロヘキサン、メチルシクロヘキサン、トルエン、エチルベンゼン、メシチレン、ｏ−キシレン、ｍ−キシレン、ｐ−キシレン、異性体キシレンの工業用混合物、塩化メチレン、テトラクロロエタン、クロロベンゼン、ジクロロベンゼンまたはクロロトルエン、特にｏ−キシレン、ｍ−キシレン、ｐ−キシレン、異性体キシレンの工業用混合物、クロロベンゼンである。溶剤の混合物を使用することもできる。
【００２３】
溶剤として過剰のピロリジンまたはピペリジンを使用することも同様に適当である。この場合、ピロリジンまたはピペリジン中にではなく、不活性溶剤中に分散または溶解させた五ハロゲン化リンを、ピロリジンまたはピペリジン中に混合しながら配量する。
【００２４】
反応は、すでに上に記載した様に、９０〜１８０℃、好ましくは１００〜１７０℃、より好ましくは１２０〜１５０℃で続行する。
【００２５】
上記の温度範囲内の沸点を有する溶剤を選択し、還流条件下で反応を続行するのが特に簡単である。
【００２６】
しかし、反応を加圧下で行なうこともできる。これによって、必要であれば、沸点の低い溶剤を使用することもできる。
【００２７】
特別な変形では、五塩化リンまたは五臭化リン、特に五塩化リンを、五ハロゲン化リンとして使用する。先行する反応工程で、対応する三ハロゲン化リンおよびハロゲンから五ハロゲン化リンを製造することもできる。
【００２８】
反応の完了後、すでに記載した様に、０〜１００℃、特に１０〜７０℃、好ましくは２５〜５０℃、で、水性アルカリでｐＨ７〜１５、特に８〜１４．５、好ましくは９〜１４、で、反応生成物を処理する。適当な水性アルカリの例は、５〜５０重量％、特に１５〜３０重量％、好ましくは１５〜２５重量％、のアルカリ金属またはアルカリ土類金属水酸化物の水溶液である。対応するＮａＯＨまたはＫＯＨ、特にＮａＯＨ、の水溶液を使用するのが特に簡単である。多くの場合、２０〜２５％濃度の水性ＮａＯＨまたはＫＯＨ、特にＮａＯＨ、を使用するのが適当であることが分かっている。
【００２９】
反応生成物をアルカリで処理する際、十分に混合する様に注意しなければならない。反応生成物をアルカリで処理した後、水相を有機相から分離する。化合物（Ｒ）４Ｐ＋Ｘ−および（Ｒ）３Ｐ＝Ｏを含んでなる混合物は、有機相中に存在する。溶剤およびなお存在するピロリジンまたはピペリジンを含む揮発性成分を除去することにより、混合物が固体として得られる。必要であれば、再結晶によりテトラキス（ピロリジノ）ホスホニウム塩またはテトラキス（ピペリジノ）ホスホニウム塩の比率を増加させることができる。必要に応じて、塩置換により、Ｘ−＝Ｃｌ−またはＢｒ−を、上記の陰イオンの他のものに置き換えることができる。
【００３０】
本発明はさらに、上に詳細に説明した、式（Ｒ）４Ｐ＋Ｘ−（１）の化合物および式（Ｒ）３Ｐ＝Ｏ（２）の化合物（式中、ＲおよびＸ−は上記の意味を有する）を含んでなる混合物の、相転移反応、求核置換およびハロゲン−フッ素交換反応、特に相転移反応またはハロゲン−フッ素交換反応、好ましくはハロゲン−フッ素交換反応用の触媒または共触媒としての使用に関するものである。
【００３１】
ハロゲン−フッ素交換反応（ハレックス反応）に適当な触媒は、例えば、式（Ｒ）４Ｐ＋Ｘ−（１）の化合物および式（Ｒ）３Ｐ＝Ｏ（２）の化合物（式中、ＲおよびＸ−は上記の意味を有する）を含んでなる上記の混合物の１種、および少なくとも１種の、式
【化５】
0004659948.tif 000005
の第４級アンモニウム化合物、式
【化６】
0004659948.tif 000006
の第４級アンモニウム塩またはホスホニウム塩、式Ｒ１０-(Ｏ-ＣｘＨ２ｘ)ｓ-ＯＲ１１（５）のポリエーテル、およびクラウンエーテルの群から選択された化合物を含んでなる物質混合物であるが、その際、式（３）では、
Ｒ１、Ｒ２およびＲ３は、同一であるか、または異なるものであって、式-(ＣｐＨ２ｐＯ)ｒＲ５（Ｒ５は水素または炭素数１〜１６の線状または分岐アルキル基であり、ｐは１〜１０の整数であり、ｒは１〜１５の整数である）の線状または分岐した基、または炭素数１〜３０の線状または分岐アルキル基、または置換されていないフェニルまたはナフチル基、または置換されたフェニルまたはナフチル基であり、その際、置換基はハロゲン、Ｃ１〜Ｃ４アルキル、Ｃ１〜Ｃ４アルコキシ、ニトロまたはシアノを意味し、
Ｒ４は式-(ＣｐＨ２ｐＯ)ｒＲ５の線状または分岐した基であり、Ｙ−は無機陰イオンであり、
式（４）では、
Ｒ６、Ｒ７、Ｒ８およびＲ９は、同一であるか、または異なるものであって、炭素数１〜２２の線状または分岐アルキル基であるか、または置換されていない、または置換されたアリール基またはＣ１〜Ｃ４アルキルアリール基（ここでアリールはフェニルまたはナフチルを意味し、該置換基はハロゲン、Ｃ１〜Ｃ４アルキル、Ｃ１〜Ｃ４アルコキシ、ニトロまたはシアノである）であり、ＺはＮまたはＰを意味し、Ｙ−は無機陰イオンであり、
式（５）では、Ｒ１０およびＲ１１は、同一であるか、または異なるものであって、炭素数１〜１６の線状または分岐アルキル基であり、ｘは２〜６の整数であり、ｓは１〜６０の整数であるか、または基Ｒ１０およびＲ１１の一方が水素であり、他方が炭素数１〜１６の線状または分岐アルキル基であり、ｘは２〜６の整数であり、ｓは２〜５０の整数であるか、または基Ｒ１０およびＲ１１は水素であり、ｘは２〜６の整数であり、ｓは３〜５の整数である。  ハロゲン−フッ素交換反応に適当な触媒は、化合物（Ｒ）４Ｐ＋Ｘ−および化合物（Ｒ）３Ｐ＝Ｏを含んでなる上記の混合物の１種、および少なくとも１種の、式（３）の第４級アンモニウム化合物、式（４）の第４級アンモニウム塩およびホスホニウム塩、式（５）のポリエーテル、およびクラウンエーテルの群から選択された化合物を含んでなり、その際、式（３）では、Ｒ１、Ｒ２およびＲ３は、同一であるか、または異なるものであって、式-(ＣｐＨ２ｐＯ)ｒＲ５（Ｒ５は水素または炭素数１〜８の線状または分岐アルキル基であり、ｐは１〜５の整数であり、ｒは２〜１０の整数である）の線状または分岐した基、または炭素数１〜１８の線状または分岐アルキル基、または置換されていないフェニルまたはナフチル基であり、Ｒ４は式-(ＣｐＨ２ｐＯ)ｒＲ５（Ｒ５は水素または炭素数１〜８の線状または分岐アルキル基であり、ｐは１〜５の整数であり、ｒは２〜１０の整数である）の線状または分岐した基である物質混合物である。
【００３２】
ハロゲン−フッ素交換反応に特に重要な触媒は、上記混合物の１種、および少なくとも１種の、式（３）の第４級アンモニウム化合物の群から選択された化合物を含んでなる物質混合物である。
【００３３】
物質混合物は、通常、５〜９５重量％、特に２０〜８０重量％、好ましくは２５〜７５重量％、の、化合物（Ｒ）４Ｐ＋Ｘ−および（Ｒ）３Ｐ＝Ｏを含んでなる混合物を含んでなる。物質混合物の残りの９５〜５重量％、特に８０〜２０重量％、好ましくは７５〜２５重量％、は、その他の成分、つまり式（３）の第４級アンモニウム化合物、式（４）の第４級アンモニウムまたはホスホニウム塩、式（５）のポリエーテルおよびクラウンエーテルの群から選択された少なくとも１種の化合物、特に、式（３）の第４級アンモニウム化合物の群から選択された少なくとも１種の化合物になる。
【００３４】
下記の諸例により、本発明をさらに説明するが、これらの例は本発明を制限するためのものではない。
【００３５】
実験の項
例１
テトラキス（ピロリジノ）ホスホニウムクロライドおよびトリス（ピロリジノ）ホスフィンオキシドを含んでなる混合物Ａの製造
五塩化リン１０４．１２ｇ（０．５モル）を無水キシレン７００ｇ中に５０℃で溶解させる。次いで、ピロリジン４２６．７ｇ（６モル）を、内部温度が７５℃を超えない様に、滴下して加える。加えた後、混合物を１５時間還流加熱する。次いで、混合物を４０℃に冷却し、２０％濃度の水酸化ナトリウム溶液８００ｇ（４モル）で加水分解する。水相を分離した後、有機相を回転蒸発装置で蒸発乾固させる。留出物からピロリジンを再留別し、再使用する。９４％テトラキス（ピロリジノ）ホスホニウムクロライド、５％トリス（ピロリジノ）ホスフィンオキシドおよび１％未確認成分からなる淡褐色固体１７２．８ｇが得られる（混合物Ａ）。この様にして得た生成物は、ハレックス反応（例３および４も参照）用の触媒および共触媒として直接使用する。
元素分析：Ｃ＝５５．４％、Ｈ＝９．３％、Ｃｌ＝９．８％、Ｎ＝１６．１％、Ｏ＝０．３％、Ｐ＝９．０％
【００３６】
純粋な成分を単離するために、この粗製混合物をテトラヒドロフラン（ＴＨＦ）中で沸騰させ、濾過後、テトラキス（ピロリジノ）ホスホニウムクロライド１６２ｇ（理論値の９３％）が無色の粉末として得られる。トリス（ピロリジノ）ホスフィンオキシドはＴＨＦ相からKugelrohr蒸留により単離する。純粋成分の混合により、あらゆる組成の混合物を製造することができる。
純粋テトラキス（ピロリジノ）ホスホニウムクロライド：１Ｈ−ＮＭＲ：δ＝３．１９（ｍ，１６Ｈ，ＮＣＨ２）、１．８７（ｍ，１６Ｈ，ＮＣＨ２ＣＨ２）、１３Ｃ−ＮＭＲ：δ＝４６．４３（２Ｃ，ＪＰ，Ｃ[Ｈｚ]＝４．８，ＮＣＨ２）、２５．６４（２Ｃ，ＪＰ，Ｃ[Ｈｚ]＝８．３，ＮＣＨ２ＣＨ２）、３１Ｐ−ＮＭＲ：δ＝２６．０（ｓ，１Ｐ）。
【００３７】
例２
テトラキス（ピペリジノ）ホスホニウムクロライドおよびトリス（ピペリジノ）ホスフィンオキシドを含んでなる混合物Ｂの製造
テトラキス（ピペリジノ）ホスホニウムクロライドは、例１と同様にして、溶剤としてクロロベンゼン７３０ｇに溶解させた五塩化リン１０４．１２ｇ（０．５モル）およびピペリジン５１０．９ｇ（６モル）から製造する。
９２％テトラキス（ピペリジノ）ホスホニウムクロライド、７％トリス（ピペリジノ）ホスフィンオキシドおよび１％未確認成分からなる淡褐色粉末１９７．８ｇが得られる（混合物Ｂ）。この様にして得た生成物は、ハレックス反応（例３および４も参照）用の触媒および共触媒として直接使用する。
元素分析：Ｃ＝６７．５４％、Ｈ＝１１．６３％、Ｃｌ＝９．８４％、Ｎ＝１６．１６％、Ｏ＝０．２３％、Ｐ＝９．０４％
【００３８】
純粋な成分は、例１と同様にして単離する。
純粋テトラキス（ピペリジノ）ホスホニウムクロライド：１Ｈ−ＮＭＲ：δ＝３．１４（ｍ，１６Ｈ，ＮＣＨ２）、１．７１（ｍ，８Ｈ，ＮＣＨ２ＣＨ２ＣＨ２）、１．６４（ｍ，１６Ｈ，ＮＣＨ２ＣＨ２）、１３Ｃ−ＮＭＲ：δ＝４７．０３（２Ｃ，ＮＣＨ２）、２５．７３（２Ｃ，ＮＣＨ２ＣＨ２）、２３．６１（２Ｃ，ＮＣＨ２ＣＨ２ＣＨ２）、３１Ｐ−ＮＭＲ：δ＝３８．８（ｓ，１Ｐ）。
【００３９】
比較例Ａ
テトラキス（ジエチルアミノ）ホスホニウムブロマイド（比較物質）の製造
ＰＣｌ５５２．１ｇ（０．２５モル）をクロロベンゼン２２０mlに入れた溶液にジエチルアミン１０９．７ｇ（１．５モル）を、内部温度が１０℃を超えない様に、１時間で滴下して加える。加えた後、混合物を３０℃で１時間攪拌し、次いで、Ｔ＝１５℃でアンモニア３０ｇを中に通す。１時間後、２０％濃度の水酸化ナトリウム水溶液３４０ｇを加え、水相を分離する。過剰のジエチルアミンを有機相から留別する。次いで、５０％濃度の水酸化ナトリウム溶液１７０ｇおよび臭化エチル６０ｇ（０．５５モル）を加え、混合物を５０℃で４時間加熱する。相を分離した後、有機相を６０％濃度の臭化水素酸でｐＨ６〜７に酸性化する。揮発性成分をすべて留別した後、テトラキス（ジエチルアミノ）ホスホニウムブロマイド８３．９ｇが淡褐色オイルとして得られる。１．５重量％のイミノ−トリス（ジアルキルアミノ）ホスホラン（Ｅｔ２Ｎ）３Ｐ＝ＮＥｔが不純物として得られる。この様にして得た生成物（比較物質）を、ハレックス反応（例３および４も参照）用の触媒および共触媒として直接使用する。
【００４０】
比較例Ｂ
ＰＣｌ５およびジエチルアミンを反応させ、テトラキス（ジエチルアミノ）ホスホニウムクロライドを製造する試み
ＰＣｌ５２０．８ｇ（０．１モル）をキシレン１８０mlに入れた溶液にジエチルアミン７３．１ｇ（１．０モル）を、Ｔ＜１５℃で、滴下して加える。加えた後、混合物を２時間還流加熱する。２２℃に冷却した後、２５％濃度の水酸化ナトリウム水溶液１６０ｇで加水分解させる。この加水分解は高発熱性である（温度が４８℃に上昇）。水相を分離し、残った有機相を回転蒸発装置で濃縮する。Kugelrohr蒸留により、トリス（ジエチルアミノ）ホスフィンオキシド２４．９ｇが黄色オイルとして得られる。テトラキス（ジエチルアミノ）ホスホニウムクロライドの形成は観察されなかった。
【００４１】
比較例Ｃ
テトラキス（ピペリジノ）ホスホニウムブロマイドの製造
五塩化リン４１．６５ｇ（０．２モル）をクロロベンゼン２２０ｇに入れ、ピペリジン１０２．１８ｇ（１．２モル）を５℃で加える。３０分間攪拌した後、この懸濁液中にアンモニア４０ｇを１０℃で吹き込む。３０分後、懸濁液を４０℃で苛性ソーダ（５０％水溶液）１３０ｇで加水分解させる。水相を分離した後、１２０℃／１０mbarで揮発性化合物を有機相から蒸発させる。残留物を短い蒸留カラムを通し、０．１mbarで蒸留し、純粋トリス（ピペリジノ）亜リン酸イミン（Ｐｉｐ）３Ｐ＝ＮＨ（Ｍｗ２９８．４１）３７ｇ（０．１２４モル）が得られる。
【００４２】
得られたトリス（ピペリジノ）亜リン酸イミン１４．９２ｇ（０．０５モル）を４０％苛性ソーダ水溶液１００mlに溶解させる。１，５−ジブロモペンタン１２．６５ｇ（０．０５５モル）を２０分間で滴下して加える。常温で２時間攪拌した後、反応混合物を１００℃に加熱する。２０℃に冷却した後、混合物を３部の塩化メチレン（３ｘ２０ml）で抽出する。硫酸ナトリウム上で除湿した後、回転蒸発装置により揮発性化合物を有機抽出液から蒸発させる。テトラキス（ピペリジノ）ホスホニウムブロマイド２１．４ｇ（０．４８モル）が得られる。
【化７】
0004659948.tif 000007
【００４３】
例３
４−フルオロベンズアルデヒドの合成
６０℃で、テトラキス（ジエチルアミノ）ホスホニウムブロマイド１２．０ｇ（０．０３モル）をＮ−メチルピロリドン（ＮＭＰ）１２ｇに入れた溶液、フッ化カリウム１７４．３ｇ（３モル）、ニトロトルエン４．１ｇ（０．０３モル）およびキシレン１８mlを順次、４−クロロベンズアルデヒド（４−ＣＢＡＬ）４２１．７ｇ（３モル）に加える。反応混合物を、減圧下、キシレンの共沸蒸留により乾燥させる。１９０℃で２４時間後、４−フルオロベンズアルデヒド（４−ＦＢＡＬ）および脱ハロゲン化により製造されたベンズアルデヒドの形成、および反応混合物の転化がガスクロマトグラフィーにより確認される。
【００４４】
本発明の例では、テトラキス（ジエチルアミノ）ホスホニウムブロマイドの代わりに、等モル量（それぞれの場合に０．０３モル）の、それぞれの場合に混合物ＡおよびＢ（例１および２で製造）の形態で示すアミノホスホニウム塩を使用する。その他の手順は同様である。表１中のデータは、ＧＣ百分率面積に対応する。表１に残りとして示す１００％との差は、副反応および分解の尺度である。
【００４５】
0004659948.tif 000008
【００４６】
例４
２−クロロ−６−フルオロベンズアルデヒドおよび２，６−ジフルオロベンズアルデヒドの合成
６０℃で、テトラキス（ジエチルアミノ）ホスホニウムブロマイド８．８ｇ（０．０２モル）、メチルトリス（メチルテトラエトキシ）アンモニウムクロライド（[{ＣＨ３-(Ｏ-Ｃ２Ｈ４)４}３ＮＣＨ３]Ｃｌ）３５．２ｇ（０．０６モル）、フッ化カリウム７２．６ｇ（１．２５モル）およびキシレン１０mlを順次、２，６−ジクロロベンズアルデヒド（ＤＣＢＡＬ）１７５．０ｇ（１モル）に加える。反応混合物を、減圧下、キシレンの共沸蒸留により乾燥させる。１６５℃で２０時間後、２−クロロ−６−フルオロベンズアルデヒド（ＣＦＢＡＬ）、２，６−ジフルオロベンズアルデヒド（ＤＦＢＡＬ）および脱ハロゲン化により製造されたｏ−クロロベンズアルデヒドの形成、および反応混合物の転化がガスクロマトグラフィーにより確認される。
【００４７】
本発明の例では、テトラキス（ジエチルアミノ）ホスホニウムブロマイドの代わりに、等モル量（それぞれの場合に０．０２モル）の、それぞれの場合に混合物ＡおよびＢ（例１および２で製造）の形態で示すアミノホスホニウム塩を使用する。その他の手順は同様である。表２中のデータは、ＧＣ百分率面積に対応する。表２に残りとして示す１００％との差は、副反応および分解の尺度である。
【００４８】
0004659948.tif 000009